(57)【要約】【課題】ユーザが削除するデータを選別する手間を低減することができ、その際に、削除しても問題とならないデータの選別を容易にすることができる情報処理装置、情報処理方法及び情報処理プログラムを提供すること【解決手段】本発明にかかる情報処理装置は、複数のデータと、複数のデータに当該データを外部記憶装置６０にコピーしたか否かを示すコピー情報を含む関連情報とを対応付けて記憶する記憶部５０と、関連情報に基づいて、データを削除する優先度を、外部記憶装置６０にコピーしたデータが高くなるように決定する優先度決定部５１と、ユーザが複数のデータから削除するデータを選択する際に、複数のデータを含む削除リストを、優先度決定部５１が決定した優先度に応じた順序で表示部５３に表示する表示制御部５２と、を備えたものである。【選択図】図１
2011180872.tif 000002
【特許請求の範囲】
【請求項１】
複数のデータと、前記複数のデータに当該データを外部記憶装置にコピーしたか否かを示すコピー情報を含む関連情報とを対応付けて記憶する記憶部と、
前記関連情報に基づいて、前記データを削除する優先度を、前記外部記憶装置にコピーしたデータが高くなるように決定する優先度決定部と、
ユーザが前記複数のデータから削除するデータを選択する際に、前記複数のデータを含む削除リストを、前記優先度決定部が決定した優先度に応じた順序で表示部に表示する表示制御部と、
を備えた情報処理装置。
【請求項２】
前記関連情報は、前記データの参照回数に応じた参照回数情報をさらに含み、
前記優先度決定部は、前記データを削除する優先度を、当該データの参照回数情報に応じて決定する請求項１に記載の情報処理装置。
【請求項３】
前記関連情報は、前記データの参照日付に応じた参照日付情報をさらに含み、
前記優先度決定部は、前記データを削除する優先度を、当該データの参照日付情報に応じて決定する請求項１又は２に記載の情報処理装置。
【請求項４】
前記複数のデータは、画像データを含み、
前記関連情報は、前記画像データにおけるものである場合、当該画像データの撮影日付に応じた撮影日付情報及び画像サイズに応じた画像サイズ情報の少なくとも１つを含み、
前記優先度決定部は、前記撮影日付情報及び画像サイズ情報の少なくとも１つに基づいて、前記画像データを削除する優先度を決定する請求項１乃至３のいずれか１項に記載の情報処理装置。
【請求項５】
前記複数のデータは、音楽データを含み、
前記関連情報は、前記音楽データにおけるものである場合、当該音楽データのアーティスト名に応じたアーティスト名情報及びアルバム名に応じたアルバム名情報の少なくとも１つを含み、
前記優先度決定部は、前記アーティスト名情報及びアルバム名情報の少なくとも１つに基づいて、前記音楽データを削除する優先度を決定する請求項１乃至４のいずれか１項に記載の情報処理装置。
【請求項６】
前記関連情報は、前記データのヘッダ情報として、前記記憶部に格納され、
前記優先度決定部は、前記データの関連情報を、当該データのヘッダ情報から取得する請求項１乃至５のいずれか１項に記載の情報処理装置。
【請求項７】
前記表示制御部は、前記記憶部にデータを格納するときに、前記記憶部にデータを格納する空き容量がない場合に、前記複数のデータを含む削除リストを前記表示部に表示する請求項１乃至６のいずれか１項に記載の情報処理装置。
【請求項８】
前記情報処理装置は、移動体通信端末である請求項１乃至７のいずれか１項に記載の情報処理装置。
【請求項９】
複数のデータと、前記複数のデータに当該データを外部記憶装置にコピーしたか否かを示すコピー情報を含む関連情報とを対応付けて記憶する記憶部から、前記関連情報を取得するステップと、
前記取得した関連情報に基づいて、当該データを削除する優先度を、前記外部記憶装置にコピーしたデータが高くなるように決定するステップと、
ユーザが前記複数のデータから削除するデータを選択する際に、前記複数のデータを含む削除リストを、前記優先度決定部が決定した優先度に応じた順序で表示部に表示するステップと、
を備えた情報処理方法。
【請求項１０】
複数のデータと、前記複数のデータに当該データを外部記憶装置にコピーしたか否かを示すコピー情報を含む関連情報とを対応付けて記憶する記憶部から、前記関連情報を取得するステップと、
前記取得した関連情報に基づいて、当該データを削除する優先度を、前記外部記憶装置にコピーしたデータが高くなるように決定するステップと、
ユーザが前記複数のデータから削除するデータを選択する際に、前記複数のデータを含む削除リストを、前記優先度決定部が決定した優先度に応じた順序で表示部に表示するステップと、
をコンピュータに実行させる情報処理プログラム。
【発明の詳細な説明】
【技術分野】
【０００１】
本発明は、情報処理装置、情報処理方法及び情報処理プログラムに関する。
【背景技術】
【０００２】
近年、携帯電話は、高機能化多様化してきており、個人の様々なデータが携帯電話に登録されるようになってきている。それに伴い、携帯電話に登録されるデータ量は、大幅に増加してきている。そのため、ユーザが不要なデータを削除して携帯電話の空き容量を確保する場合には、大量のデータの中から削除してもよい不要なデータを選別する必要がある。したがって、ユーザが削除するデータを選別する際に、非常に手間がかかってしまっているという問題がある。
【０００３】
なお、特許文献１には、使用回数の少ない不要な電話番号及び名前を容易に選択して、その代わりに新たな電話番号及び名前を登録することができる携帯電話機が開示されている。特許文献１に開示の携帯電話機は、記憶手段に電話番号の使用回数を電話番号又は名前に対応付けて記憶する。そして、携帯電話機は、新たな電話番号及び名前を記憶手段に記憶させる際に、記憶手段の記憶容量を超える場合には、既に記憶されている電話番号あるいは名前を使用回数に従って表示させる。そして、携帯電話機は、入力手段から、表示された電話番号あるいは名前が選択されると、選択された電話番号あるいは名前が記憶されているエリアに新たな電話番号及び名前を記憶させる。
【０００４】
また、特許文献２には、コンテンツデータのメタデータに基づいて、再生順序を決定するデータ再生端末装置が開示されている。特許文献２に開示のデータ再生端末装置は、音楽データがダウンロードされた順序に従って再生順序リストを作成し、再生順序リストに従って音楽データを再生する。そして、データ再生端末装置は、ユーザによって音楽データのメタデータに含まれるタイトル等の関連情報が入力されると、その入力された関連情報に基づいて、再生順序を変更させた再生順序リストを作成する。そして、データ再生端末装置は、再生順序リストに従って音楽データを再生する。
【０００５】
また、特許文献３には、電子メールの優先度を自動的に判別する携帯電話機が開示されている。特許文献３に開示の携帯電話機は、保護設定の有無、着信拒否設定の有無、送信履歴の有無、メール本文の文字数等のファクタに基づいて、各電子メールの優先度を判別する。また、特許文献３に開示の携帯電話機は、ユーザが「空き領域の形成メニュー」によって、コンテンツの選択及び容量を入力すると、優先度が低い順に、入力された容量分のコンテンツを表示部に表示する。そして、携帯電話機は、コンテンツの消去を是認する操作を検出すると、表示した優先度の低いコンテンツをメモリから消去して、ユーザにより指定された容量分の空き領域を形成する。
【先行技術文献】
【特許文献】
【０００６】
【特許文献１】特開２０００−０２２７９８号公報
【特許文献２】特開２００２−０７３０５１号公報
【特許文献３】特開２００８−１５２５７８号公報
【発明の概要】
【発明が解決しようとする課題】
【０００７】
背景技術として説明したように、携帯電話において、ユーザが削除するデータを選別する際に、非常に手間がかかってしまっているという問題がある。ところで、データを削除する場合には、ユーザがデータを削除した後に、再度、削除したデータを利用したくなってしまうということが発生する可能性もあり得る。したがって、そのような場合を考慮すると、バックアップがとられているため復元が可能なデータや、他の情報処理装置にコピーされており、その情報処理装置で利用可能となっているデータ等のように、削除しても問題とならないデータを削除対象として選別することが望まれている。
【０００８】
しかし、特許文献１に開示の技術は、新たな電話番号及び名前によって削除した電話番号及び名前を再度利用したくなってしまうような場合についてまで考慮されたものではない。
また、特許文献２に開示の技術は、音楽データを再生する場合における技術であり、音楽データを削除する場合における技術を開示したものではない。
また、特許文献３に開示の技術は、携帯電話機側で、削除するコンテンツを決定してしまっており、ユーザが削除するデータを選別することを前提とした技術を開示したものではない。
【０００９】
本発明の目的は、上述した課題を解決するために、ユーザが削除するデータを選別する手間を低減することができ、その際に、削除しても問題とならないデータの選別を容易にすることができる情報処理装置、情報処理方法及び情報処理プログラムを提供することにある。
【課題を解決するための手段】
【００１０】
本発明の第１の態様にかかる情報処理装置は、複数のデータと、前記複数のデータに当該データを外部記憶装置にコピーしたか否かを示すコピー情報を含む関連情報とを対応付けて記憶する記憶部と、前記関連情報に基づいて、前記データを削除する優先度を、前記外部記憶装置にコピーしたデータが高くなるように決定する優先度決定部と、ユーザが前記複数のデータから削除するデータを選択する際に、前記複数のデータを含む削除リストを、前記優先度決定部が決定した優先度に応じた順序で表示部に表示する表示制御部と、を備えたものである。
【００１１】
本発明の第２の態様にかかる情報処理方法は、複数のデータと、前記複数のデータに当該データを外部記憶装置にコピーしたか否かを示すコピー情報を含む関連情報とを対応付けて記憶する記憶部から、前記関連情報を取得するステップと、前記取得した関連情報に基づいて、当該データを削除する優先度を、前記外部記憶装置にコピーしたデータが高くなるように決定するステップと、ユーザが前記複数のデータから削除するデータを選択する際に、前記複数のデータを含む削除リストを、前記優先度決定部が決定した優先度に応じた順序で表示部に表示するステップと、を備えたものである。
【００１２】
本発明の第３の態様にかかる情報処理プログラムは、複数のデータと、前記複数のデータに当該データを外部記憶装置にコピーしたか否かを示すコピー情報を含む関連情報とを対応付けて記憶する記憶部から、前記関連情報を取得するステップと、前記取得した関連情報に基づいて、当該データを削除する優先度を、前記外部記憶装置にコピーしたデータが高くなるように決定するステップと、ユーザが前記複数のデータから削除するデータを選択する際に、前記複数のデータを含む削除リストを、前記優先度決定部が決定した優先度に応じた順序で表示部に表示するステップと、をコンピュータに実行させるものである。
【発明の効果】
【００１３】
上述した本発明の各態様により、ユーザが削除するデータを選別する手間を低減することができ、その際に、削除しても問題とならないデータの選別を容易にすることができる情報処理装置、情報処理方法及び情報処理プログラムを提供することができる。
【図面の簡単な説明】
【００１４】
【図１】本発明の実施の形態にかかる情報処理装置の構成図である。
【図２】本発明の実施の形態にかかる携帯電話の構成図である。
【図３】本発明の実施の形態にかかる画像記憶データベースに格納される画像ファイルのヘッダ情報を例示する図である。
【図４】本発明の実施の形態にかかる携帯電話の処理を示すフローチャートである。
【図５】本発明の実施の形態にかかる削除リストの表示例を示す図である。
【発明を実施するための形態】
【００１５】
まず、図１を参照して、本発明の実施の形態にかかる携帯電話の概要を示す情報処理装置について説明する。図１は、本発明の実施の形態にかかる情報処理装置の構成図である。
【００１６】
情報処理装置５は、記憶部５０、優先度決定部５１、表示制御部５２及び表示部５３を備える。また、情報処理装置５は、外部記憶装置６０と任意のインタフェースを介して接続可能である。
【００１７】
記憶部５０は、複数のデータと、複数のデータに当該データを外部記憶装置６０にコピーしたか否かを示すコピー情報を含む関連情報とを対応付けて記憶する。
優先度決定部５１は、関連情報に基づいて、データを削除する優先度を、外部記憶装置６０にコピーしたデータが高くなるように決定する。
表示制御部５２は、ユーザが複数のデータから削除するデータを選択する際に、複数のデータを含む削除リストを、優先度決定部５１が決定した優先度に応じた順序で表示部５３に表示する。
表示部５３は、複数のデータを含む削除リストを表示する。
【００１８】
続いて、本発明の実施の形態にかかる情報処理装置の処理について説明する。
まず、優先度決定部５１は、関連情報に基づいて、データを削除する優先度を、外部記憶装置６０にコピーしたデータが高くなるように決定する。
次に、表示制御部５２は、ユーザが前記複数のデータから削除するデータを選択する際に、複数のデータを含む削除リストを、優先度決定部５１が決定した優先度に応じた順序で表示部５３に表示する。
【００１９】
続いて、図２を参照して、本発明の実施の形態にかかる携帯電話の構成について説明する。図２は、本発明の実施の形態にかかる携帯電話の構成図である。
【００２０】
携帯電話１は、ＣＰＵ(Central Processing Unit)１０、表示部１１、操作部１２、内蔵メモリ１３を備える。また、携帯電話１は、外部記憶装置２０と任意のインタフェースを介して接続される。
【００２１】
ＣＰＵ１０は、表示部１１に任意の画像を表示する処理や、操作部１２に対する入力に応じた処理等の携帯電話１における様々な処理を実行する。ＣＰＵ１０は、優先度決定部５１及び表示制御部５２として機能する。
表示部１１は、ＣＰＵ１０からの要求に応じた画像を表示する。表示部１１は、例えば、ＬＣＤ(Liquid Crystal Display)パネル又は有機ＥＬ(Electro Luminescence)パネル等の表示装置である。
【００２２】
操作部１２は、ユーザからの入力を受け付ける入力装置である。操作部１２は、例えば、操作ボタン等の入力装置である。
内蔵メモリ１３は、さまざまなファイルを格納する。内蔵メモリ１３は、例えば、フラッシュメモリ等の携帯電話１に内蔵されている記憶装置である。内蔵メモリ１３は、複数の画像ファイルを含む画像記憶データベース３０、複数の音声ファイルを含む音声記憶データベース３１、その他の複数のファイルを含むその他記憶データベース３２等を有する。内蔵メモリ１３は、記憶部５０として機能する。
【００２３】
画像記憶データベース３０、例えば、図３に示す複数の画像ファイルを格納する。図３は、画像記憶データベースに格納される画像ファイルのヘッダ情報を例示する。図３に示すようにヘッダ情報は、ファイルのアクセス日付に応じたアクセス日付情報、ファイルの参照回数に応じた参照回数情報、ファイルのコピー回数に応じたコピー回数情報及びファイル名に応じたファイル名情報等が含まれる。本実施の形態では、アクセス日付情報はファイルへの最後のアクセス日付を示し、参照回数情報はファイルへの参照回数を示し、コピー回数情報はファイルの外部記憶装置２０へのコピー回数を示す。つまり、ＣＰＵ１０は、ファイルへのアクセスが行われた場合に、そのファイルのヘッダ情報のアクセス日付情報及び参照回数情報を更新する。また、ＣＰＵ１０は、ファイルが外部記憶装置２０にコピーされたときに、そのファイルのヘッダ情報のコピー回数情報を更新する。なお、ヘッダ情報は、関連情報に相当する。
【００２４】
外部記憶装置２０は、内蔵メモリ１３に格納されるファイルをコピーしてバックアップ可能な記憶装置である。外部記憶装置２０は、例えば、ＳＤメモリカード、ｍｉｎｉＳＤカード又はｍｉｃｒｏＳＤカード等の携帯電話１に挿抜可能な記憶装置である。その他に、外部記憶装置２０は、例えば、携帯電話１と任意のインタフェースを介して接続されるＰＣ(Personal Computer)のような情報処理装置が有するハードディスクやメモリ等の装置であってもよい。
【００２５】
以上に説明した携帯電話１は、ファイルのヘッダ情報に基づいて、内蔵メモリ１３に格納された複数のファイルについて、ファイルを削除する優先度を決定する。そして、携帯電話１は、決定した優先度に応じた順序で、それら複数のファイルを含む削除リストを作成して表示部１１に表示する。これによって、ユーザは、表示部１１に表示された削除リストから、削除するファイルを選択することができるようになる。
【００２６】
続いて、図４を参照して、本発明の実施の形態にかかる携帯電話の処理について説明する。図４は、本発明の実施の形態にかかる携帯電話の処理を示すフローチャートである。
【００２７】
ＣＰＵ１０は、内蔵メモリ１３に新たなファイルを格納する場合、内蔵メモリ１３に新たなファイルを格納することができる空き容量があるか否かを判定する。
空き容量がある場合、ＣＰＵ１０は、新たなファイルを内蔵メモリ１３に格納する。
空き容量がない場合、ＣＰＵ１０は、以降に述べる削除候補のデータを抽出する処理を行う。
【００２８】
まず、ＣＰＵ１０は、携帯電話１の内蔵メモリ１３に格納されている任意のファイルを選択して、選択したファイルのヘッダ情報を内蔵メモリ１３から読み込む(Ｓ１００)。
ＣＰＵ１０は、ファイルのヘッダ情報に含まれるコピー回数情報に基づいて、そのファイルが外部記憶装置２０にコピーされているか否かを判定する(Ｓ１０１)。なお、本実施の形態では、コピー回数情報がコピー回数を示す場合について例示しているが、コピー回数に応じたものであればこの例に限られない。例えば、コピー回数が０か１以上かを示すフラグをコピー回数情報としてもよい。
【００２９】
ファイルが外部記憶装置２０にコピーされている場合(Ｓ１０１：Ｙｅｓ)、ＣＰＵ１０は、ファイルのヘッダ情報に含まれる参照回数情報に基づいて、そのファイルの参照回数が多いか少ないかを判定する(Ｓ１０２)。なお、参照回数が多いか少ないかは、例えば、ＣＰＵ１０が閾値よりも参照回数が多いか否かによって判定する。ここで、閾値は、予め定めて内蔵メモリ１３に格納してある固定値としてもよく、ユーザが操作部１２に入力して内蔵メモリ１３に格納した設定値としてもよい。
【００３０】
また、本実施の形態では、参照回数情報が参照回数を示す場合について例示しているが、参照回数に応じたものであればこの例に限られない。例えば、参照回数情報として、参照回数が０〜４なら"１"、５〜１０なら"２"といったように、参照回数に応じた区分に対応する値を参照回数情報としてもよく、参照回数が閾値よりも多いか否かを示すフラグを参照回数情報としてもよい。
【００３１】
ファイルの参照回数が多い場合(Ｓ１０２：多い)、ステップＳ１０７の処理を行う。
ファイルの参照回数が少ない場合(Ｓ１０２：少ない)、ファイルのヘッダ情報に含まれるアクセス日付情報に基づいて、そのファイルのアクセス日付が最近か古いかを判定する(Ｓ１０３)。なお、アクセス日付が最近か古いかは、例えば、ＣＰＵ１０が現在の日付がアクセス日付から一定期間経過しているか否かによって判定する。ここで、一定期間は、予め定めて内蔵メモリ１３に格納してある固定値としてもよく、ユーザが操作部１２に入力して内蔵メモリ１３に格納した設定値としてもよい。
【００３２】
また、本実施の形態では、アクセス日付情報がアクセス日付を示す場合について例示しているが、アクセス日付に応じたものであればこの例に限られない。例えば、現在の日付が最後のアクセス日付から一定期間経過しているか否かを示すフラグをアクセス日付情報としてもよい。
【００３３】
ファイルのアクセス日付が古い場合(Ｓ１０３：古い)、ＣＰＵ１０は、ステップＳ１００で選択したファイルを、削除する優先度を高くして削除テーブルに登録する(Ｓ１０４)。ステップＳ１０４で登録されたファイルは、最も削除する優先度が高いことになる。
ファイルのアクセス日付が最近の場合(Ｓ１０３：最近)、ＣＰＵ１０は、ステップＳ１００で選択したファイルを、削除する優先度を高くして削除テーブルに登録する(Ｓ１０５)。なお、ステップＳ１０５で登録されたファイルは、ステップＳ１０４で登録されたファイルの次に削除する優先度が高いこととなる。
【００３４】
一方、ステップＳ１０１において、ファイルが外部記憶装置２０にコピーされていない場合(Ｓ１０１：Ｎｏ)、ＣＰＵ１０は、ファイルのヘッダ情報に含まれる参照回数情報に基づいて、そのファイルの参照回数が多いか少ないかを判定する(Ｓ１０６)。
ファイルの参照回数が少ない場合(Ｓ１０６：少ない)、ファイルのヘッダ情報に含まれるアクセス日付情報に基づいて、そのファイルのアクセス日付が最近か古いかを判定する(Ｓ１０７)。
【００３５】
ファイルのアクセス日付が古い場合(Ｓ１０７：古い)、ＣＰＵ１０は、ステップＳ１００で選択したファイルを、削除する優先度を中ぐらいとして削除テーブルに登録する(Ｓ１０８)。ステップＳ１０８で登録されたファイルは、ステップＳ１０５で登録されたファイルの次に削除する優先度が高いことになる。
ファイルのアクセス日付が最近の場合(Ｓ１０７：最近)、ＣＰＵ１０は、ステップＳ１００で選択したファイルを、削除する優先度を中ぐらいとして削除テーブルに登録する(Ｓ１０９)。なお、ステップＳ１０９で登録されたファイルは、ステップＳ１０８で登録されたファイルの次に削除する優先度が高いこととなる。
【００３６】
一方、ステップＳ１０６において、ファイルの参照回数が多い場合(Ｓ１０６：多い)、ＣＰＵ１０は、ファイルのヘッダ情報に含まれるアクセス日付情報に基づいて、そのファイルのアクセス日付が最近か古いかを判定する(Ｓ１１０)。
ファイルのアクセス日付が古い場合(Ｓ１１０：古い)、ＣＰＵ１０は、ステップＳ１００で選択したファイルを、削除する優先度を低くして削除テーブルに登録する(Ｓ１１１)。ステップＳ１１１で登録されたファイルは、ステップＳ１０９で登録されたファイルの次に削除する優先度が高いことになる。
ファイルのアクセス日付が最近の場合(Ｓ１１０：最近)、ＣＰＵ１０は、ステップＳ１００で選択したファイルを、削除する優先度を低くして削除テーブルに登録する(Ｓ１１２)。なお、ステップＳ１１２で登録されたファイルは、ステップＳ１１１で登録されたファイルの次に削除する優先度が高いこととなる。
【００３７】
ステップＳ１０４、Ｓ１０５、Ｓ１０８、Ｓ１０９、Ｓ１１１、Ｓ１１２において、ファイルを削除テーブルに登録すると、ＣＰＵ１０は、他に削除する優先度を決定して削除テーブルに登録していないファイルがもう無いかどうかを判定する(Ｓ１１３)。
削除する優先度を決定していないファイルが有る場合(Ｓ１１３：Ｎｏ)、ＣＰＵ１０は、そのファイルについて、ステップＳ１００から同様の処理を実行する。
削除する優先度を決定していないファイルが無い場合(Ｓ１１３：Ｙｅｓ)、ＣＰＵ１０は、削除テーブルに基づいて、削除候補のファイルの一覧となる削除リストを表示部１１に表示する(Ｓ１１４)。
【００３８】
図５に、ステップＳ１１４で表示部１１に表示される削除リストの表示例を示す。なお、図５は、図４に例示したヘッダ情報を有するファイルについて、削除する優先度を決定した場合の表示例となる。ここで、アクセス日付は、"２００９０１０１"以前が古く、参照回数は、"４"回以下が少ないものとした場合について例示している。この場合、ファイル"ｓｍｐ１．ｊｐｇ"は、ステップＳ１１１で優先度が低く登録され、ファイル"ｓｍｐ２．ｊｐｇ"は、ステップＳ１０５で優先度が高く登録され、ファイル"ｓｍｐ３．ｊｐｇ"は、ステップＳ１０９で優先度が中ぐらいに登録されることになる。したがって、図５の一番上に表示されている"ｓｍｐ２．ｊｐｇ"が、削除する優先度が最も高いファイルとなる。以下、"ｓｍｐ３.ｊｐｇ"、"ｓｍｐ１．ｊｐｇ"の順に削除する優先度が低いファイルが表示されていく。
【００３９】
このように、"ｓｍｐ２．ｊｐｇ"のように外部記憶装置２０にコピーされているファイルは、バックアップがとられていることになるため復元が可能なファイル、又は、他の情報処理装置にコピーされており、その情報処理装置で利用可能なファイルとなる。そのため、削除しても問題とならないファイルが削除する最有力候補として表示されるようになっている。さらに、参照回数が少ないファイルや、アクセス日付が古いファイルは、ユーザによって、ほとんど利用される可能性の無いため、削除する優先度を高くして表示するようにしている。このように、削除してもユーザにとって問題ないと考えられるファイルから順に表示することで、ユーザ自身が削除してもよいファイルを探す手間を減少させることができる。これによって、携帯電話１の限られた記憶容量で効率よくデータに対する削除、登録等の操作をすることができる。
【００４０】
このように、削除する優先度の高いものから順に表示されているため、ユーザは、表示されている削除リストを参照して、操作部１２からの入力によって削除するファイルを容易に選択することができる。具体的には、ユーザは、削除リストから削除するファイルを選択する場合、削除するファイルに対応するチェックボックスをチェックする。そして、ユーザは、所望のチェックボックスをチェックした状態で、選択ボタンを押下することで、チェックしたファイルが削除される。
【００４１】
なお、本実施の形態では、削除リストに同じ属性のファイルを並べている場合、すなわち、画像ファイルのみからなる場合について例示したが、これに限られない。つまり、削除リストには、画像ファイル、音楽ファイル及びその他のファイルを混在して表示するようにしてもよい。
【００４２】
なお、以上に説明したものよりも、さらに優先度を区分して決定するようにしてもよい。例えば、ステッＳ１０２からステップＳ１０７に遷移した場合と、ステップＳ１０６からステップＳ１０７に遷移した場合とで、ステップＳ１０７において決定する優先度をさらに区分してもよい。つまり、ステップＳ１０７において、ファイルが外部記憶装置２０にコピーされているか否かによって、さらに優先度を区分する。この場合、削除する優先度を高い順に１．〜８．として示すと、その優先度を以下のように例示することができる。
【００４３】
１．外部記憶装置２０へのコピー有り、参照回数少ない、アクセス日付が古い
２．外部記憶装置２０へのコピー有り、参照回数少ない、アクセス日付が最近
３．外部記憶装置２０へのコピー有り、参照回数多い、  アクセス日付が古い
４．外部記憶装置２０へのコピー有り、参照回数多い、  アクセス日付が最近
５．外部記憶装置２０へのコピー無し、参照回数少ない、アクセス日付が古い
６．外部記憶装置２０へのコピー無し、参照回数少ない、アクセス日付が最近
７．外部記憶装置２０へのコピー無し、参照回数多い、  アクセス日付が古い
８．外部記憶装置２０へのコピー無し、参照回数多い、  アクセス日付が最近
【００４４】
つまり、ここでの例示では、コピー回数情報を１番目に優先して優先度を判定する情報として、コピーが有るファイルは、必ずコピーが無いファイルよりも優先度が高くなるようにしている。次に、参照回数情報を２番目に優先して優先度を判定する情報として、コピー有りとコピー無しに分別されたそれぞれのファイル群のうちで、参照回数が少ないファイルは、必ず参照回数が多いファイルよりも優先度が高くなるようにしている。次に、アクセス日付情報を３番目に優先して優先度を判定する情報として、コピー有りとコピー無しに分別されたそれぞれのファイル群を、さらに参照回数の少ないものと参照回数の多いものに分別したそれぞれのファイル群のうちで、アクセス日付が古いファイルは、必ずアクセス日付が最近のファイルよりも優先度が高くなるようにしている。
【００４５】
以上に説明したように、本実施の形態によれば、ファイルとして例示したデータに対応付けられたヘッダ情報に基づいて、データを削除する優先度を決定している。そして、ユーザが複数のデータから削除するデータを選択する際に、複数のデータを含む削除リストを、決定した優先度に応じた順序で表示するようにしている。そのため、ユーザが削除するデータを選別する操作負担の軽減と操作時間の短縮を図って、ユーザが削除するデータを選別する手間を低減することができる。また、その際に、ヘッダ情報にデータを外部記憶装置にコピーしたか否かを示すコピー情報を含めて、外部記憶装置にコピーしたデータが高くなるように優先度を決定するようにしている。そのため、ユーザが、削除しても問題とならないデータの選別を容易にすることができる。
【００４６】
また、本実施の形態によれば、ユーザが格納したいデータを携帯電話１の内蔵メモリ１３に格納する際に、内蔵メモリ１３の空き容量の関係からデータの削除が必要な場合に、削除候補となるデータを一覧として表示するようにしている。そして、最終的にユーザの判断により削除するデータを選択させることで、ユーザの意思を尊重した操作のサポートを行うことができる。
【００４７】
また、本実施の形態によれば、ファイルのヘッダ情報に、ファイルを削除する優先度決定に用いる情報を格納するようにしているため、ヘッダ情報を参照するのみで優先度を決定することができる。
【００４８】
なお、本発明は上記実施の形態に限られたものではなく、趣旨を逸脱しない範囲で適宜変更することが可能である。
例えば、本実施の形態では、新たなデータを格納しようとしたときに、空き容量が無い場合、削除候補のデータを表示して、ユーザがデータを削除するようにしているが、これに限られない。例えば、ユーザが操作部１２にデータの削除を行う旨の入力をした場合に、その入力に応じて削除候補のデータを表示するようにしてもよい。
【００４９】
また、本実施の形態では、携帯電話について適用した場合について説明したが、携帯電話以外のＰＨＳ(Personal Handy-phone System)及びＰＤＡ(Personal Digital Assistant)等の移動体通信端末を含めた情報処理装置にも適用することができる。
【００５０】
また、ユーザが操作部１２からファイル毎にユーザのお気に入り度を設定可能として、ＣＰＵ１０が設定されたお気に入り度をヘッダ情報に設定するようにしてもよい。そして、ＣＰＵ１０が、お気に入り度によって示される度合いに基づいて、お気に入りのものは削除する優先度を低くし、お気に入りでないものは削除する優先度を高くするようにしてもよい。
【００５１】
また、データをメールに添付して送信したか否かを示す情報をヘッダ情報に格納するようにしてもよい。そして、ＣＰＵ１０が、その情報に基づいて、削除する優先度を決定するようにしてもよい。例えば、メールに添付して送信したことのあるデータは削除する優先度を高くし、そうでないデータは削除する優先度を低く設定するようにしてもよい。
【００５２】
また、携帯電話が有するカメラ機能によって撮影等した画像データの場合は、撮影日付に応じた撮影日付情報や、ＱＶＧＡ(Quarter Video Graphics Array)、ＶＧＡ(Video Graphics Array)、ＸＧＡ(eXtended Graphics Array)等の画像サイズに応じた画像サイズ情報をヘッダ情報に格納するようにしてもよい。そして、ＣＰＵ１０が、撮影日付情報や、画像サイズ情報に基づいて、削除する優先度を決定するようにしてもよい。例えば、撮影日付が古い画像データは削除する優先度を高くして、撮影日付が最近の画像データは削除する優先度を低くするようにしてもよい。また、画像サイズが大きい画像データは内蔵メモリの容量を消費してしまうため削除する優先度を高くして、画像サイズが小さい画像データは内蔵メモリの容量をあまり消費しないため削除する優先度を低くするようにしてもよい。これによって、同じ内容の画像データであっても、撮影日付や画像サイズの違いによって、削除をするのに有効なデータを選別しやすくして内蔵メモリの空き容量を確保することができる。
【００５３】
また、携帯電話の通信機能によってダウンロード等した音楽データの場合は、アーティスト名に応じたアーティスト名情報、アルバム名に応じたアルバム名又は曲の時間に応じた曲時間情報をヘッダ情報に格納するようにしてもよい。そして、ＣＰＵ１０が、アーティスト名情報、アルバム名情報又は曲時間情報に基づいて、削除する優先度を決定するようにしてもよい。例えば、ユーザが操作部１２から気に入っているアーティスト名や、アルバム名を設定可能として、ＣＰＵ１０が設定されたアーティスト名、アルバム名を示す情報を内蔵メモリ１３に格納するようにしてもよい。そして、ユーザが気に入っているアーティスト名情報、アルバム名情報に基づいて、お気に入りのアーティストや、アルバムの音楽データは削除候補から除外するようにしてもよい。また、曲時間情報に基づいて、曲の時間が予め定めた時間よりも長い場合に優先度を高くして、その時間よりも短い場合に優先度を低くするようにしてもよい。
【００５４】
以上に説明した本発明にかかる情報処理装置は、上述の実施の形態の機能を実現するプログラムを記憶した記憶媒体を装置に供給し、装置の有するコンピュータ又はＣＰＵ、ＭＰＵ(Micro Processing Unit)がこのプログラムを実行することによって、構成することが可能である。
【００５５】
また、このプログラムは様々な種類の記憶媒体に格納することが可能であり、通信媒体を介して伝達されることが可能である。ここで、記憶媒体には、例えば、フレキシブルディスク、ハードディスク、磁気ディスク、光磁気ディスク、ＣＤ−ＲＯＭ(Compact Disc Read Only Memory)、ＤＶＤ(Digital Versatile Disc)、ＢＤ(Blu-ray(登録商標) Disc)、ＲＯＭ(Read Only Memory)カートリッジ、バッテリバックアップ付きＲＡＭ(Random Access Memory)、メモリカートリッジ、フラッシュメモリカートリッジ、不揮発性ＲＡＭカートリッジを含む。また、通信媒体には、電話回線等の有線通信媒体、マイクロ波回線等の無線通信媒体を含む。また、上述のプログラムは、インターネットを介して伝達することも可能である。
【００５６】
また、コンピュータが上述の実施の形態の機能を実現するプログラムを実行することにより、上述の実施の形態の機能が実現されるだけではなく、このプログラムの指示に基づき、コンピュータ上で稼動しているＯＳ(Operating System)もしくはアプリケーションソフトと共同して上述の実施の形態の機能が実現される場合も、発明の実施の形態に含まれる。
【００５７】
さらに、このプログラムの処理の全てもしくは一部がコンピュータに挿入された機能拡張ボードやコンピュータに接続された機能拡張ユニットにより行われて上述の実施の形態の機能が実現される場合も、発明の実施の形態に含まれる。
【符号の説明】
【００５８】
１        携帯電話
５        情報処理装置
１０        ＣＰＵ
１１        表示部
１２、５３    操作部
１３        内蔵メモリ
２０、６０    外部記憶装置
３０        画像記憶データベース
３１        音声記憶データベース
３２        その他記憶データベース
５０        記憶部
５１        優先度決定部
５２        表示制御部
【図１】
2011180872.tif 000003
【図２】
2011180872.tif 000004
【図３】
2011180872.tif 000005
【図４】
2011180872.tif 000006
【図５】
2011180872.tif 000007